(57)【要約】【課題】移動通信端末のアクセス先が変更されたときの必要な動作環境設定を簡単にできるようにする。【解決手段】建設機械１搭載の移動通信端末３１は、衛星通信端末と無線ＬＡＮ端末を有する。建設機械１が新たな建設現場に配置されたとき、移動通信端末３１は、衛星通信端末から管理サーバ１０に動作環境設定要求と位置情報を送る。管理サーバ１０は、その要求に応答して、受信された位置情報に基づき、その建設現場の無線ＬＡＮの動作環境設定データを選定し、移動通信端末３１の衛星通信端末に送る。移動通信端末３１は、受信した設定データに基づき、無線ＬＡＮ端末の動作環境設を自動的に設定する。手動の動作環境設定は不要である。以後、移動通信端末３１は、その現場の無線ＬＡＮを利用できる。【選択図】 図１
2005160046.tif 000002
【特許請求の範囲】
【請求項１】
異なる動作環境をそれぞれ有する複数のアクセス装置（８３，８３，８３）のうち同じ動作環境を有するアクセス装置（８３）と通信可能である第１通信端末（１７）と、第２通信端末（１４）と、前記第１通信端末（１７）及び前記第２通信端末（１４）を制御する通信コントローラ（１２)とを有する移動通信端末（３１)と、
前記第２通信端末（１４）と通信可能であり、前記複数のアクセス装置（８３，８３，８３）にそれぞれ対応する動作環境設定データを有するサーバ（１０）と
を備え、
前記通信コントローラ（１２)は、前記第２通信端末（１４）を制御して、所望のアクセス装置（８３）を指定するための指定情報と関係付けられた動作環境設定要求を前記サーバ（１０）へ送らせ、
前記サーバ（１０）は、前記第２通信端末（１４）から受信した前記動作環境設定要求に応答して、前記指定情報に基づいて指定される前記所望のアクセス装置（８３）に対応する前記動作環境設定データを選定し、選定された前記動作環境設定データを前記第２通信端末（１４）に送り、
前記通信コントローラ（１２)は、前記サーバ（１０）から受信した前記動作環境設定データに応答して、前記所望のアクセス装置（８３）と同じ動作環境を前記第１通信端末（１７）に設定する、
移動通信端末のための動作環境設定システム。
【請求項２】
前記移動通信端末の（３１）の位置情報を生成する位置情報生成装置（１３）を更に備え、
前記通信コントローラ（１２)は、前記動作環境設定要求を送信する時に前記位置情報生成装置（１３）により生成された前記移動通信端末の（３１）の位置情報を、前記指定情報として、前記動作環境設定要求に関連付け、
前記サーバ（１０）は、前記複数のアクセス装置（８３，８３，８３）の位置情報を、前記複数のアクセス装置（８３，８３，８３）に対応する動作環境設定データに関連づけて有しており、
前記サーバ（１０）は、前記動作環境設定要求に関連付けられた前記移動通信端末の（３１）の位置情報に応答して、前記複数のアクセス装置（８３，８３，８３）の位置情報に基づいて、前記所望のアクセス装置（８３）に対応する前記動作環境設定データを選定する、
請求項１記載の動作環境設定システム。
【請求項３】
前記通信コントローラ（１２)は、オペレータからの要求に応答して、前記動作環境設定要求を前記第２通信端末に送信させる、
請求項１記載の動作環境設定システム。
【請求項４】
前記通信コントローラ（１２)は、前記第１通信端末（１７）による通信が失敗した場合に自動的に、前記動作環境設定要求を前記第２通信端末に送信させる、
請求項１記載の動作環境設定システム。
【請求項５】
前記複数のアクセス装置（８３，８３，８３）が異なる無線ＬＡＮのアクセスポイント又はルータであり、
前記第１通信端末（１７）が前記無線ＬＡＮを利用するための無線ＬＡＮ端末であり、
請求項１記載の動作環境設定システム。
【請求項６】
前記第２通信端末（１４）が衛星通信ネットワークを利用するための衛星通信端末である請求項１記載の動作環境設定システム。
【請求項７】
前記サーバ（１０）が、前記第２通信端末（１４）と通信可能であるだけでなく、前記複数のアクセス装置（８３，８３，８３）のうちの少なくとも一つと通信可能である請求項１記載の動作環境設定システム。
【請求項８】
前記位置情報生成装置（１３）が前記移動通信端末（３１）に搭載されている請求項１記載の動作環境設定システム。
【請求項９】
移動通信端末（３１)が、建設機械（１）に搭載されるか又は建設作業員（２）に携帯され、
前記複数のアクセス装置（８３，８３，８３）は、異なる建設現場にそれぞれ配置された複数の無線ＬＡＮのアクセスポイント又はルータであり、
前記第１通信端末（１７）は前記複数の無線ＬＡＮを利用するための無線ＬＡＮ端末であり、
前記第２通信端末（１４）は衛星通信ネットワークを利用するための衛星通信端末であり、
前記サーバ（１０）は前記衛星通信ネットワークに接続され、
前記移動通信端末（３１)は前記衛星通信ネットワークを通じて前記建設機械（１）の機械情報を前記前記サーバ（１０）へ送信し、
前記サーバ（１０）は前記移動通信端末（３１)から受信した前記建設機械（１）の機械情報を管理するようになっている、
請求項１記載の動作環境設定システム。
【請求項１０】
異なる動作環境をそれぞれ有する複数のアクセス装置（８３，８３，８３）のうち同じ動作環境を有するアクセス装置（８３）と通信可能である第１通信端末（１７）と、
前記複数のアクセス装置（８３，８３，８３）にそれぞれ対応する動作環境設定データを有するサーバ（１０）と通信可能である第２通信端末（１４）と、
前記第１通信端末（１７）及び前記第２通信端末（１４）を制御する通信コントローラ（１２)と、
を備え、
前記通信コントローラ（１２)は、
（Ａ）前記第２通信端末（１４）を制御して、所望のアクセス装置（８３）を指定するための指定情報と関係付けられた動作環境設定要求を前記サーバ（１０）へ送らせ、
（Ｂ）前記サーバ（１０）が前記動作環境設定要求に応答して前記第２通信端末（１４）へ返送する、前記所望のアクセス装置（８３）に対応する前記動作環境設定データを受信し、
（Ｃ）前記サーバ（１０）から受信した前記動作環境設定データに応答して、前記所望のアクセス装置（８３）と同じ動作環境を前記第１通信端末（１７）に設定する、
ようになった移動通信端末。
【請求項１１】
異なる動作環境をそれぞれ有する複数のアクセス装置（８３，８３，８３）のうち同じ動作環境を有するアクセス装置（８３）と通信可能である第１通信端末（１７）と、第２通信端末（１４）とを有する移動通信端末（３１)と通信可能な処理装置と、
前記複数のアクセス装置（８３，８３，８３）にそれぞれ対応する動作環境設定データを有する記憶装置と
を備え、
前記処理装置は、
（Ａ）前記移動通信端末（３１）の前記第２通信端末（１４）から、所望のアクセス装置（８３）を指定するための指定情報と関係付けられた動作環境設定要求を受信し、
（Ｂ）前記第２通信端末（１４）から受信した前記動作環境設定要求に応答して、前記指定情報に基づいて指定される前記所望のアクセス装置（８３）に対応する前記動作環境設定データを選定し、
（Ｃ）選定された前記動作環境設定データを前記第２通信端末（１４）に送り、それにより、前記前記移動通信端末（３１）にて前記所望のアクセス装置（８３）と同じ動作環境が前記第１通信端末（１７）に設定されるようにする、
移動通信端末の動作環境設定を支援するためのサーバ。
【請求項１２】
異なる動作環境をそれぞれ有する複数のアクセス装置（８３，８３，８３）のうち同じ動作環境を有するアクセス装置（８３）と通信可能である第１通信端末（１７）と、第２通信端末（１４）とを有する移動通信端末（３１)のための動作環境設定方法において、
前記第２通信端末（１４）と通信可能なサーバ（１０）にて、前記複数のアクセス装置（８３，８３，８３）にそれぞれ対応する動作環境設定データを記憶するステップと、
前記移動通信端末（３１)の前記第２通信端末（１４）にて、所望のアクセス装置（８３）を指定するための指定情報と関係付けられた動作環境設定要求を前記サーバ（１０）へ送るステップと、
前記サーバ（１０）にて、前記第２通信端末（１４）から受信した前記動作環境設定要求に応答して、前記所望のアクセス装置（８３）に対応する前記動作環境設定データを選定し、選定された前記動作環境設定データを前記第２通信端末（１４）に送るステップと、り、
前記移動通信端末（３１)にて、前記第２通信端末（１４）に受信された前記動作環境設定データに応答して、前記所望のアクセス装置（８３）と同じ動作環境を前記第１通信端末（１７）に設定するステップと
を有する移動通信端末のための動作環境設定方法。
【発明の詳細な説明】
【技術分野】
【０００１】
本発明は、移動通信端末のための動作環境設定システムに関する。
【背景技術】
【０００２】
近年、建設現場においては、無線ＬＡＮ装置などの通信機器を利用して、周囲の画像情報の通信、ＩＰ（Internet Protocol）電話による音声情報の通信、インターネットへの接続などが求められている。建設現場では、建設機械などの移動機械が施工場所の直近に位置し、建設機械は通信機器の設置に適している。例えば、現場事務所にインターネット接続用の機器と、無線ＬＡＮ用のアクセス装置とを設置し、施工場所近くの建設機械に無線ＬＡＮ端末を設置すれば、この無線ＬＡＮ端末をリピータとして利用でき、建設現場でインターネット接続環境および建設機械間相互の無線通信を実現できる。
【０００３】
一方、近年では、衛星通信ネットワークや携帯電話によるデータ通信などの公共移動体無線通信によって、建設機械の位置、燃料残量、稼働記録、エラー情報などを送信し、建設機械の一括管理を行う場合も増えてきた（例えば、特許文献１参照）。公共移動体無線通信では、無線区間では、公開されていないプロトコルのＳＳ（Spread Spectrum）無線技術が用いられ、有線区間では、公共移動体無線通信に専用の設備が利用されるので、無線ＬＡＮなどに比べて情報漏洩のおそれが小さい。公共移動体無線通信では、通信コストは一般に従量制であるが、建設機械の位置や稼働記録等の管理目的の情報は、データサイズが小さいうえ、通信頻度も少ないため、公共移動体無線通信を利用しても通信コストが嵩むことはない。
【０００４】
ところが、前述した画像情報、ＩＰ電話などによる音声情報、及びインターネット接続で通信されるマルチメディア情報などは、データサイズが大きい。また、リアルタイム監視のためには、常時通信を行う必要がある。したがって、このような目的に公共移動体無線通信を利用すると、通信コストが大きくなりすぎ、システムの実現が困難である。従って、このようにデータサイズが大きく、通信頻度が高い通信を行う場合には、通信コストの小さい無線ＬＡＮ等の短距離無線通信網を利用するのが望ましい。
【０００５】
【特許文献１】特開２００２−９１５４７号公報（図１）
【発明の開示】
【発明が解決しようとする課題】
【０００６】
無線ＬＡＮでは一般に、同一のＥＳＳ−ＩＤ（Extended Service Set ID）を持つ端末間で通信可能である。また、秘密鍵方式の暗号化アルゴリズムを利用し、同一のＷＥＰキー（Wired Equivalent Privacy Key）を持った端末間で、通信内容が暗号化される。これらのＥＳＳ−ＩＤやＷＥＰキーは、各端末に対してキーボード入力等のマニュアル操作にて設定される。しかしながら、建設工事の開始から終了までの施工期間は一般に、数週間から数ヶ月と短期間であって、建設機械は短い間隔で別の建設現場へ移動する。そのため、建設機械に無線ＬＡＮ端末を設置して無線ＬＡＮ通信のプラットホームに利用しようとすると、建設機械が配置される建設現場が変わる度に、配置先の建設現場に適合するように無線ＬＡＮ端末を再設定する必要があり、端末の動作環境設定に手間がかかるという問題がある。
【０００７】
本発明の目的は、移動通信端末のアクセス先が変更された場合でも、必要な動作環境設定を容易にできる移動通信端末の動作環境設定システムを提供することにある。
【課題を解決するための手段】
【０００８】
本発明に従う移動通信端末のための動作環境設定システムは、異なる動作環境をそれぞれ有する複数のアクセス装置（８３，８３，８３）のうちの同じ動作環境を有するアクセス装置（８３）と通信可能である第１通信端末（１７）と、第２通信端末（１４）と、第１通信端末（１７）及び第２通信端末（１４）を制御する通信コントローラ（１２)とを有する移動通信端末（３１)と、第２通信端末（１４）と通信可能であり、複数のアクセス装置（８３，８３，８３）にそれぞれ対応する動作環境設定データを有するサーバ（１０）とを備える。
【０００９】
通信コントローラ（１２)は、第２通信端末（１４）を制御して、所望のアクセス装置（８３）を指定するための指定情報と関係付けられた動作環境設定要求を前記サーバ（１０）へ送らせる。サーバ（１０）は、第２通信端末（１４）から受信した動作環境設定要求に応答して、指定情報に基づいて指定される所望のアクセス装置（８３）に対応する動作環境設定データを選定し、選定された動作環境設定データを第２通信端末（１４）に送る。通信コントローラ（１２)は、サーバ（１０）から受信した動作環境設定データに応答して、所望のアクセス装置（８３）と同じ動作環境を第１通信端末（１７）に設定する。
【００１０】
本システムの一つの実施形態は、移動通信端末の（３１）の位置情報を生成する位置情報生成装置（１３）を更に備える。通信コントローラ（１２)は、動作環境設定要求を送信する時に位置情報生成装置（１３）により生成された移動通信端末の（３１）の位置情報を、指定情報として、動作環境設定要求に関連付ける。サーバ（１０）は、複数のアクセス装置（８３，８３，８３）の位置情報を、複数のアクセス装置（８３，８３，８３）に対応する動作環境設定データに関連づけて予め有している。そして、サーバ（１０）は、動作環境設定要求に関連付けられた移動通信端末の（３１）の位置情報に応答して、複数のアクセス装置（８３，８３，８３）の位置情報に基づいて、所望のアクセス装置（８３）に対応する動作環境設定データを選定する。
【００１１】
一つの実施形態では、通信コントローラ（１２)は、オペレータからの要求に応答して、前記動作環境設定要求を前記第２通信端末に送信させる。一つの変形例では、通信コントローラ（１２)は、第１通信端末（１７）による通信が失敗した場合に自動的に、動作環境設定要求を前記第２通信端末に送信させる。
【００１２】
一つの実施形態では、サーバ（１０）が、第２通信端末（１４）と通信可能であるだけでなく、複数のアクセス装置（８３，８３，８３）のうちの少なくとも一つと通信可能である。
【００１３】
一つの実施形態では、記位置情報生成装置（１３）が移動通信端末（３１）に搭載されている。
【００１４】
一つの実施形態では、移動通信端末（３１)が、建設機械（１）に搭載されるか又は建設作業員（２）に携帯される。複数のアクセス装置（８３，８３，８３）は、異なる建設現場にそれぞれ配置された複数の無線ＬＡＮのアクセスポイント又はルータであり、第１通信端末（１７）は、複数の無線ＬＡＮを利用するための無線ＬＡＮ端末である。第２通信端末（１４）は、衛星通信ネットワークを利用するための衛星通信端末である。サーバ（１０）は衛星通信ネットワークに接続される。移動通信端末（３１)は、衛星通信ネットワークを通じて建設機械（１）の機械情報を前記前記サーバ（１０）へ送信し、サーバ（１０）は、移動通信端末（３１)から受信した建設機械（１）の機械情報を管理する。
【００１５】
本発明は、また、上述した構成を持つ移動通信端末（３１)も提供する。
【００１６】
さらに、本発明は、上述した構成を持つサーバ（１０)も提供する。
【００１７】
またさらに、本発明は、移動通信端末のための動作環境設定方法も提供する。
【００１８】
なお、上述の説明中の括弧内の参照番号は、以下に説明する実施形態との対応関係の一例を示しただけにすぎず、それのみに本発明の範囲を限定する趣旨ではない。
【発明の効果】
【００１９】
本発明によれば、移動通信端末のアクセス先が変更された場合でも、必要な動作環境設定を容易にできる。
【発明を実施するための最良の形態】
【００２０】
以下、本発明の一実施形態を図面に基づいて説明する。
〔システム構成〕
図１には、本発明に従う動作環境設定システムが組み込まれた建設現場の管理のための移動体通信システムの全体構成が示されている。
【００２１】
図１に示される移動体通信システムは、例えば、或る建設会社（例えば「AA建設会社」という）が担当する複数の建設現場Ａ１，Ａ２，Ａ３を管理するために使用される。建設現場Ａ１，Ａ２，Ａ３には、移動体として、複数の建設機械（例えばブルドーザ、油圧ショベル、ホイルローダ、ダンプトラックなど）1，1，…及び複数の作業員２，２，…が存在する。各建設機械１には、後に図３を参照して説明される移動通信端末３１が搭載される。各作業員２は、携帯形の移動通信端末（例えば、携帯電話機又は無線通信機能付きモバイルコンピュータなど）３２を携帯する。
【００２２】
建設現場Ａ１，Ａ２，Ａ３には、それぞれの建設現場Ａ１，Ａ２，Ａ３でのローカルな通信を無線LAN（Local Area Network）を用いて行う現場システム８，８，９が設備される。現場システム８，８，９は、無線LANのアクセスポイント又はルータとして機能するアクセス装置８３，８３，８３をそれぞれ有する。図１の例では、建設現場Ａ１とＡ２のアクセス装置８３，８３は現場事務所のような固定場所に設置され、他方、建設現場Ａ３のアクセス装置８３は或る建設機械１内に搭載されている。また、建設現場Ａ１とＡ２のアクセス装置８３，８３は、広域ネットワーク（例えばインターネット）７にも接続されるが、建設現場Ａ３のアクセス装置８３はそうではない。
【００２３】
上述した無線LANとは別の移動体通信ネットワークとして、衛星通信ネットワークが存在する。この衛星通信ネットワークは、通信衛星４及び衛星地球局５を含み、ネットワーク管制局６を通じて広域ネットワーク（例えばインターネット）７に接続される。この衛星通信ネットワークは、いずれの建設現場Ａ１，Ａ２，Ａ３でも利用可能であり、かつ上述した無線LANに比べて通信のセキュリティがより高い。しかし、この衛星通信ネットワークは、有料の公共移動体無線通信ネットワークであり、AA建設会社に対して従量制の料金支払いを要求する。これに対し、上述した無線LANは、AA建設会社にとり無料の私設ネットワークである。
【００２４】
各建設機械１に搭載される移動通信端末（以下、車載移動通信端末という）３１と、各作業員２が携帯する携帯移動通信端末３２は、いずれも、上述した衛星通信ネットワークと無線LANの双方を利用することができるハイブリッドタイプのものである。すなわち、これら移動通信端末３１，３２はいずれも、衛星通信端末と無線LAN端末の双方を内蔵している。さらに、これら移動通信端末３１，３２はいずれも、ＧＰＳ（Global Positioning System）衛星（１機しか図示してないが、実際には複数機が使用される）３からの信号を受信して、その装置の現在の位置を計算する位置検出機能も備えている。
【００２５】
建設現場Ａ１，Ａ２，Ａ３の工事状況や建設機械1，1，…の状態などを集中的に管理するための管理サーバ１０が、広域ネットワーク７に接続されている。管理サーバ１０は、建設機械1，1、…の車載移動通信端末３１，３１，…から、建設機械1，1、…内でセンシングされた各種の機械状態（例えば、現在位置、エンジン回転数、バッテリ電圧、燃料残量、冷却水温度、積算稼動時間（サービスメータ値）、運転時間など）のデータを収集し、蓄積し、管理する。この機械状態データの収集は、典型的には定期的に（例えば２４時間間隔で）行われるが、必要に応じて不定期で行うこともできる。この機械状態データを収集するための通信は、典型的には、衛星通信ネットワークを利用して行われるが、広域ネットワーク７に接続された無線ＬＡＮを通じて行うこともできる。管理サーバ１０は、上記と同様の通信方法により、任意の建設機械1に対してある種の制御命令を送ってその建設機械１の作動を制御することもできる（例えば、その建設機械１が盗難された場合、その建設機械１が作動しないよう強制的にロックをかけることができる）。管理サーバ１０は、上記と同様の通信方法により、作業員２，２，…が携帯する携帯移動通信端末３２，３２，…からも報告や現場写真などのデータを受信し、また、管理サーバ１０内で管理される各種データを携帯移動通信端末３２，３２，…に送ったりすることができる。
【００２６】
上述した説明から分かるように、衛星通信ネットワークを利用することで、どの建設現場Ａ１，Ａ２，Ａ３においても、建設機械1，1、…の車載移動通信端末３１，３１，…及び作業員２，２，…の携帯移動通信端末３２，３２，…は、広域ネットワーク７上の管理サーバ１０やその他の各種サーバ（図示省略）や他の建設現場の移動体と通信することができる。また、そこの無線LANが広域ネットワーク７に接続される建設現場Ａ１とＡ２においては、その無線LANを用いることによっても、車載移動通信端末３１，３１，…及び携帯移動通信端末は、広域ネットワーク７上の管理サーバ１０やその他の機器と通信することができる。
【００２７】
これらの移動体通信端末３１，３１，…，３２，３２，…は、通信機会ごとに、衛星通信ネットワークと無線LANのいずれかを選択的に利用し、または双方を併用して、通信を行うことができる。これらの移動体通信端末３１，３１，…，３２，３２，…には、衛星通信ネットワークを利用するための動作環境と無線LANを利用するための動作環境とが予め設定される。ただし、無線LANを利用するための動作環境の内容は、建設現場Ａ１，Ａ２，Ａ３ごとに異なる。この無線LANのための動作環境を簡単に設定できるようにするために、この移動体通信システムには、本発明の一実施形態にかかる動作環境設定システムが組み込まれる。この動作環境設定システムは、管理サーバ１０、移動体通信端末３１，３１，…，３２，３２，…、及び衛星通信ネットワークを使用する。
【００２８】
以下、この動作環境設定システムについて説明する。
【００２９】
現場システム８，８，９の各々においてアクセス装置８３、車載移動通信端末３１および携帯移動通信端末３２を使用した無線ＬＡＮを構築する際に、その動作環境設定に必要な設定データが、管理サーバ１０から衛星通信ネットワークを介して車載移動通信端末３１および携帯移動通信端末３２に提供される。車載移動通信端末３１および携帯移動通信端末３２では、動作環境が自動的に設定される。よって、建設機械１および作業員２がどの建設現場Ａ１，Ａ２，Ａ３に新たに配置された場合でも、それぞれの建設現場Ａ１，Ａ２，Ａ３内での無線ＬＡＮによるローカルな通信、及び無線ＬＡＮおよび広域ネットワーク７を用いたグローバル通信が、手間のかかる手動設定なしに容易に実現される。
【００３０】
図２は、建設機械１に搭載された動作環境設定システムに関わる部分の構成を示す。
【００３１】
図２に示すように、建設機械１には、電子制御コントローラ１１と上述した移動通信端末３１とが搭載される。移動通信端末３１は、電子制御コントローラ１１と接続される通信コントローラ１２と、ＧＰＳセンサ１３と、衛星通信端末１４と、無線ＬＡＮ端末１７とを備える。ＧＰＳセンサ１３、衛星通信端末１４および無線ＬＡＮ端末１７は、通信コントローラ１２と接続される。ＧＰＳセンサ１３は、図１に示したＧＰＳ衛星（１機しか図示してないが、実際には複数機が使用される）からの電波信号を受信するためのＧＰＳアンテナ１５を有する。衛星通信端末１４は、図１に示した通信衛星４と無線通信するための衛星通信アンテナ１６を有する。無線ＬＡＮ端末１７は、無線ＬＡＮのアクセス装置８３と無線通信するための無線ＬＡＮアンテナ１８を有する。通信コントローラ１２は、ＧＰＳセンサ１３、衛星通信端末１４および無線ＬＡＮ端末１７を制御する。
【００３２】
電子制御コントローラ１１は、建設機械１の各種の駆動部分（例えば、エンジン、トランスミッション、油圧システムおよび電気・電子回路など）を電子的に制御する。また、電子制御コントローラ１１は、建設機械１の諸箇所に取り付けられた種々のセンサから、建設機械１の種々の状態（例えば、エンジン回転数、バッテリ電圧、燃料残量、冷却水温度、積算稼動時間（サービスメータ値）、運転時間など）を示すデータを受信し、それらの機械状態データを通信コントローラ１２に送る。
【００３３】
通信コントローラ１２は、例えばコンピュータであり、記憶装置（図示せず）を有し、この記憶装置には、建設機械１の所有者、建設機械１に固有の機械番号、建設機械１の積算稼働時間、衛星通信端末１４に固有の端末ＩＤ（以下、衛星通信端末ＩＤという）、および無線ＬＡＮ通信端末１７に固有の端末ＩＤ（以下、無線ＬＡＮ端末ＩＤという）等の情報が記憶されている。また、通信コントローラ１２は、電子制御コントローラ１１から受信した上記の各種の機械状態データを上記記憶装置に記憶する。さらに、通信コントローラ１２は環境設定部１２１を備える。
【００３４】
環境設定部１２１は、それぞれの建設現場Ａ１，Ａ２，Ａ３においてその無線ＬＡＮの動作環境に無線ＬＡＮ端末１７を適合させるための動作環境設定動作を制御するプログラムである。環境設定部１２１は、衛星通信端末１４を通じて管理サーバ１０に対して無線ＬＡＮの動作環境設定データを要求したり、衛星通信端末１４を通じて管理サーバ１０から前記設定データを受信したり、受信された設定データに基づいた動作環境設定を無線ＬＡＮ通信端末１７に自動的に設定したりする。
【００３５】
ＧＰＳセンサ１３は、ＧＰＳ衛星３から出力される電波をＧＰＳアンテナ１５を介して受信し、受信された電波の状態に基づいて、自己の現在位置を計測する。このＧＰＳセンサ１３で計測された建設機械１の現在位置情報は、通信コントローラ１２に出力され通信コントローラ１２内の記憶装置に記憶される。また、建設機械１にナビゲーションシステム１９が搭載されている場合、ＧＰＳセンサ１３で取得された現在位置情報は、ナビゲーションシステム１９に入力され、そこで、現在位置を示す地図の表示などのナビゲーションに利用され得る。
【００３６】
衛星通信端末１４は、通信コントローラ１２に記憶された建設機械１の現在位置のデータ及び上記各種の機械状態のデータを、衛星通信アンテナ１６から管理サーバ１０に宛てて送信する。また、無線ＬＡＮ端末１７の動作環境設定が行われる場合に、衛星通信端末１４は、動作環境設定要求を管理サーバ１０に宛てて送信し、そして、管理サーバ１０から設定データを受信する。
【００３７】
無線ＬＡＮ端末１７は、現場システム８，８，９の無線ＬＡＮを介して他の車載移動通信端末３１や携帯移動通信端末３２と相互通信を行う。また、広域ネットワーク７に接続されている現場システム８，８では、無線ＬＡＮ端末１７は、広域ネットワーク７を通じて、他の建設現場に配置された移動通信端末３１，３２との相互や、広域ネットワーク７上の管理サーバ１０やその他のサーバとの通信が可能である。
【００３８】
各作業者２が携帯する携帯移動通信端末３２も、ＧＰＳセンサ、衛星通信端末、無線ＬＡＮ端末、および通信コントローラを備えることができ、それらの機能は図２を参照咲して上述した車載移動通信端末３１のそれと同様である。携帯移動通信端末３２にも、それに固有の機械番号、衛星通信端末ＩＤ及び無線ＬＡＮ端末ＩＤが割り当てられており、それらは携帯移動通信端末３２内の記憶装置に記憶されている。よって、携帯移動通信端末３２においても、無線ＬＡＮ端末の動作環境設定が、車載移動通信端末３１の環境設定部１２１による制御と同様の制御で自動的に行われ得る。
【００３９】
再び図１を参照して、広域ネットワーク７は、例えばＴＣＰ／ＩＰ等の汎用のプロトコルを用いるインターネットである。広域ネットワーク７には、前記のように、ネットワーク管制局６、管理サーバ１０、建設現場Ａ１，Ａ２の現場システム８，８や図示しない多種多様のサーバ（ＷＷＷサーバやメールサーバやＦＴＰサーバなど）が接続されている。
【００４０】
建設現場Ａ１，Ａ２の現場システム８，８の各々は、現場事務所内に配置された汎用のコンピュータ８１を備える。コンピュータ８１は、演算処理装置および記憶装置などをもつコンピュータ本体と、このコンピュータ本体に接続されるキーボード、マウス等の入力装置と、およびディスプレイ等の表示装置とを備え、モデム又はルータ等の通信制御装置８２を介して、広域ネットワーク（インターネット）７に接続される。コンピュータ８１には、広域ネットワーク（インターネット）７を通じてホームページ等を閲覧するためのブラウザソフトや電子メールを送受する電子メールソフトなどがインストールされている。上記ブラウザソフト、電子メールメールソフト又は専用のソフトなどを用いることにより、コンピュータ８１は、広域ネットワーク（インターネット）７上の管理サーバ１０やその他の各種サーバと通信することができる。また、無線ＬＡＮのアクセス装置（例えばアクセスポイント又はルータなど）８３も、現場事務所内に配置され、通信制御装置８２を介して、広域ネットワーク（インターネット）７に接続される。
【００４１】
建設現場Ａ３の現場システム９では、無線ＬＡＮのアクセス装置８３が一台の建設機械１に搭載される。図２に二点鎖線で示すように、このアクセス装置８３は建設機械１内の通信コントローラ１２に接続される。よって、アクセス装置８３を搭載した建設機械１を親機とした無線ＬＡＮが構築される。この無線ＬＡＮは、広域ネットワーク（インターネット）７から切り離されており、建設現場Ａ３内でのローカルな通信にのみ利用可能である。このような広域ネットワーク７から切り離されたアクセス装置８３は、建設機械１ではなく、現場事務所内に設けられても勿論よい。
【００４２】
図３は、管理サーバ１０の機能的構成を示す。
【００４３】
管理サーバ１０は、例えばＷＷＷ（World Wide Web）サーバとして構成される。図３に示すように、管理サーバ１０は、種々のプログラムを実行する演算処理装置２１と、送受信された情報を記憶するハードディスク等の記憶装置とを備える。
【００４４】
演算処理装置２１は、広域ネットワーク７と演算処理装置２１との間のデータの入出力制御を行う入出力制御部２２を有する。また、演算処理装置２１は、データベース管理システム上に展開されるプログラムである、情報登録部２３、環境設定支援部２４及び通信圏情報生成部２５を備える。演算処理装置２１のもつ記憶装置内には、建設機械１，１，…の機械情報の管理及び無線ＬＡＮ動作環境設定の支援を行うためのデータが蓄積された移動体管理データベース（ＤＢ）２６が構築される。
【００４５】
入出力制御部２２は、広域ネットワーク７を介して入出力されるデータの制御を行う。入出力制御部２２は、具体的には、建設機械１，１，…の車載移動通信端末３１及び作業員２，２，…の携帯移動通信端末３２から衛星通信ネットワーク又は無線ＬＡＮを介して到来する機械状態や報告などのデータの入力制御や、車載移動通信端末３１および携帯移動通信端末３２に宛てて衛星通信ネットワークを介して送られるべき無線ＬＡＮ動作環境の設定データの出力制御や、その他広域ネットワーク７を介して建設現場Ａ１，Ａ３の現場システム８．８と通信する各種データの入出力制御などを行う。
【００４６】
情報登録部２３は、建設機械１（車載移動通信端末３１）及び携帯移動通信端末３２のそれぞれの機械番号、衛星通信端末ＩＤ及び無線ＬＡＮ端末ＩＤを、管理サーバ１０（移動体管理データベース２６）に登録する。例えば、ＡＡ建設が新規に或る建設機械１を購入あるいは借入した場合、ＡＡ建設は、広域ネットワーク７に接続されている適当な端末からの入力操作により、その建設機械１の機械番号、衛星通信端末ＩＤ及び無線ＬＡＮ端末ＩＤを、ＡＡ建設に予め割り当てられているユーザＩＤ及びパスワードと関連付けて、管理サーバ１０に登録することができる。また、情報登録部２３は、建設現場Ａ１，Ａ２，Ａ３でのアクセス装置８３の位置情報（例えばＧＰＳにより取得される）、無線ＬＡＮグループのＩＤ(以下、ＬＡＮ−ＩＤという）、暗号解読キー、顧客名、現場名等も、管理サーバ１０に登録し、また、必要に応じて変更する。その登録や変更も、上記と同様の端末からの入力操作で行える。
【００４７】
ここで、上述した無線ＬＡＮグループのＬＡＮ−ＩＤは、例えばＥＳＳ−ＩＤ（Extended Service Set ID）であり、移動通信端末３１，３２がそれぞれ所属するＬＡＮを識別するために必要な識別である。また、暗号解読キーは、例えばＷＥＰキー（Wired Equivalent Privacy Key）であり、セキュリティ上暗号化して送信したデータを解読するために使用される。管理サーバ１０は、或る移動通信端末３１又は３２から動作環境設定要求が到来すると、その移動通信端末３１又は３２が所属する無線ＬＡＮグループがどれであるかを決定し、そして、その無線ＬＡＮグループに予め割当てられたＬＡＮ−ＩＤおよび暗号解読キーを設定データとして、その移動通信端末３１又は３２に送信する。その移動通信端末３１又は３２では、受信されたＬＡＮ−ＩＤおよび暗号解読キーが自動的に無線ＬＡＮ端末に設定される（つまり、無線ＬＡＮの動作環境設定が自動的に行われる）。その結果、その移動通信端末３１又は３２は、所属する無線ＬＡＮグループでの通信が可能となる。この際、動作環境設定要求やその設定データの送信には、どの建設現場でも利用可能な衛星通信ネットワークが使用される。
【００４８】
環境設定支援部２４は、情報認証部２４１、設定データ選定部２４２、設定データ比較部２４３、およびデータ更新部２４４を備える。環境設定支援部２４は、移動通信端末３１又は３２からの動作環境設定要求に応じて起動する。
【００４９】
情報認証部２４１は、移動通信端末３１又は３２から動作環境設定要求と一緒に衛星通信ネットワークを介して送信されてくるユーザＩＤ、パスワード１０、機械番号、無線ＬＡＮ端末ＩＤを、管理サーバ１０に予め登録されたそれらと比較して認証する部分であり、この認証が得られない場合には、動作環境設定に必要な設定データが送られない。
【００５０】
設定データ選定部２４２は、動作環境設定要求と一緒に前記各種データと共に送信されてくる移動通信端末３１又は３２の位置情報に基づき、それらが建設現場Ａ１，Ａ２，Ａ３のいずれのアクセス装置８３と通信可能か、あるいはいずれの建設現場Ａ１，Ａ２，Ａ３のアクセス装置８３が位置的に最も近いかを判断し、その現場で構築されている無線ＬＡＮのＬＡＮ−ＩＤおよび暗号解読キーを予め記憶されている中から抽出し、設定データとして選定する。
【００５１】
設定データ比較部２４３は、新たに選定された設定データと、その移動通信端末３１又は３２において既に設定されている設定データ（管理サーバ１０に記憶されている）とを比較する。データ更新部２４４は、上記比較の結果、新たに選定された設定データが既存のものと異なる場合に、管理サーバ１０（移動体管理データベース２６）の記憶内容をその新たな設定データに更新するとともに、新たな設定データを入出力制御部２２に出力して移動通信端末３１又は３２へ宛てて送信させる。
【００５２】
移動通信端末３１又は３２が別の現場へ移った場合、上記比較により新たな設定データと既存の設定データとが異なることになる。その場合には、新たな設定データが移動通信端末３１又は３２に送信され動作環境設定が行われ、その新たな設定データが有効になる。他方、上記比較の結果、新たな設定データと既存の設定データとが同じである場合には、新たな設定データの送信はキャンセルされ、その移動通信端末３１又は３２では既存の設定データが依然有効とされる。移動通信端末３１又は３２は、数週間から数ヶ月の間は同一現場に配置されることが多い。移動通信端末３１又は３２が同一現場に居る間、無用な設定データの送信と更新の処理は省略される。
【００５３】
通信圏情報生成部２５は、移動通信端末３１又は３２の動作環境設定が終了し、無線ＬＡＮによる通信が可能になった状態において、それらがアクセス装置８３からどの程度の圏内にいるかを知らせる情報を送信する。例えばアクセス装置８３との通信は通常、半径１Ｋｍ程度の通信圏を有する。通信圏情報生成部２５は、移動通信端末３１又は３２から衛星通信ネットワークを通して送られてくる位置情報を監視し、移動通信端末３１又は３２がその通信圏内にいるのか、または通信圏外にいるのかを、やはり衛星通信ネットワークを通じて移動通信端末３１又は３２に知らせる。さらに、移動通信端末３１又は３２が通信圏から外れそうな位置にいる場合や、通信圏から外れた位置にいる場合に、通信圏情報生成部２５は、その旨メッセージを移動通信端末３１又は３２に送信する。また、移動通信端末３１又は３２が通信圏から外れた場合で、利用可能な別の無線ＬＡＮグループが近くに存在する場合、通信圏情報生成部２５は、その旨のメッセージを移動通信端末３１又は３２送信して、再度の動作環境設定を促す。
【００５４】
図４は、移動体管理データベース２６のうち無線ＬＡＮ用の動作環境設定に関わる部分の構造を示す。
【００５５】
図４に示すように、移動体管理データベース２６は、利用者管理テーブル２６１、アクセス装置管理テーブル２６２、設定データ管理テーブル２６３等の複数のテーブルを含むリレーショナルデータベースである。
【００５６】
利用者管理テーブル２６１には、本システムを利用する顧客の名称（例えば「ＡＡ建設会社」）、顧客に割り当てられたユーザＩＤとパスワード、顧客の使用する建設機械１，１，…（車載移動通信端末３１，３１，…）と携帯移動通信端末３２，３２，…の機械番号およびその無線ＬＡＮ端末ＩＤ等が記録される。
【００５７】
アクセス装置管理テーブル２６２には、顧客名、顧客の建設現場Ａ１，Ａ２，Ａ３のアクセス装置８３，８３，８３の位置情報、アクセス装置８３，８３，８３の無線ＬＡＮグループに割り当てられたＬＡＮ−ＩＤと暗号解読キー、及び建設現場Ａ１，Ａ２，Ａ３の名称等が記録される。
【００５８】
設定データ管理テーブル２６３は、建設機械１，１，…（車載移動通信端末３１，３１，…）と携帯移動通信端末３２，３２，…における無線ＬＡＮの動作環境の設定状況を管理するテーブルである。設定データ管理テーブル２６３には、建設機械１，１，…（車載移動通信端末３１，３１，…）と携帯移動通信端末３２，３２，…の機械番号、無線ＬＡＮ端末ＩＤ（図４中では単に「端末ＩＤ」と示す）、位置情報、所属する無線ＬＡＮグループのＬＡＮ−ＩＤ（前記位置情報に基づいて選定される）と暗号解読キー、及び設定データ（ＬＡＮ−ＩＤと暗号解読キー）の最終送信日等が記録される。
【００５９】
〔システムの動作〕
次に、この動作環境設定システムの動作を図５に基づいて説明する。
【００６０】
図５には、ＡＡ建設会社の使用する或る建設機械１において無線ＬＡＮ用の動作環境が設定される場合の処理の流れが示されている。図５の中で、「端末」というターミナルから始まる流れは建設機械１の車載移動通信端末３１で行われる処理を示し、「サーバ」というターミナルから始まる流れは管理サーバ１０で行われる処理を示す。
【００６１】
事前に、ＡＡ建設会社に対してユーザＩＤおよびパスワードが割り当てられており、その建設機械１（車載移動通信端末３１）の機械番号および無線ＬＡＮ端末ＩＤは管理サーバ１０に登録されているものとする。
【００６２】
〔車載移動通信端末３１側のステップＴＳ１〕
建設機械１が建設現場Ａ１，Ａ２，Ａ３のいずれかに新たに配置されたとき、その建設現場Ａ１，Ａ２又はＡ３の無線ＬＡＮを用いて通信を行うために、無線ＬＡＮ端末１７の動作環境設定を行う必要が生じる。そこで、建設機械１のオペレータは、建設機械１の車載移動通信端末３１を操作して、通信コントローラ１２内の環境設定部１２１を起動する。環境設定部１２１は、例えばナビゲーションシステム１９の表示画面又は車載移動通信端末３１がもつ表示画面などにメニュー画面を表示する。オペレータはメニュー画面から動作環境設定を選択する。動作環境設定の要求を受けた環境設定部１２１は、オペレータに対し、ユーザＩＤおよびパスワードの入力を促し、オペレータはこれらを入力する。環境設定部１２１は、入力されたユーザＩＤおよびパスワードを動作環境設定要求と共に衛星通信端末１４に出力する。衛星通信端末１４は、ユーザＩＤ、パスワード及び動作環境設定要求を衛星通信ネットワークを通して管理サーバ１０に送信する。ここで、動作環境設定要求には、動作環境設定要求を示す命令コードと共に、建設機械１（車載移動通信端末３１）の機械番号と無線ＬＡＮ端末ＩＤが含まれている。
【００６３】
〔管理サーバ１０側のステップＳＳ１〕
管理サーバ１０では、受信した動作環境設定要求に応答して、環境設定支援部２４の情報認証部２４１が起動する。情報認証部２４１は、受信したユーザＩＤとパスワードと機械番号と無線ＬＡＮ端末ＩＤが正しい関係にあるかを、移動機械管理データベース２６内の利用者管理テーブル２６１を参照して確認し、正しければ建設機械１の位置情報をやはり衛星通信ネットワークを介して建設機械１（車載移動通信端末３１）に対して要求する。以下、建設機械１（車載移動通信端末３１）と管理サーバ１０間の通信は衛星通信ネットワークを用いて行われる。
【００６４】
〔ステップＴＳ２〕
建設機械１（車載移動通信端末３１）では、環境設定部１２１が、管理サーバ１０からの要求に応答して、ＧＰＳセンサ１３から位置情報を取得し、管理サーバ１０に送信する。
【００６５】
〔ステップＳＳ２〕
管理サーバ１０では、設定データ選定部２４２が起動して、建設機械１（車載移動通信端末３１）から受信した位置情報を、建設機械１（車載移動通信端末３１）の機械番号及び無線ＬＡＮ端末ＩＤと関連付けて、図４に示した設定データ管理テーブル２６３に記録する。
【００６６】
〔ステップＳＳ３〕
この後、設定データ選定部２４２は、アクセス装置管理テーブル２６２内のアクセス装置８３，８３，８３の位置情報を参照し、受信した建設機械１の位置情報に最も近い位置情報をもつ一つのアクセス装置８３を選定し、選定されたアクセス装置８３に割り当てられているＬＡＮ−ＩＤと暗号解読キーを、設定データとして、アクセス装置管理テーブル２６２から選定する。
【００６７】
〔ステップＳＳ４〕
その後、設定データ比較部２４３が起動し、ステップＳＳ３で選定された設定データと、設定データ管理テーブル２６３に建設機械１の機械番号に対応して既に設定されている設定データとを比較する。
【００６８】
〔ステップＳＳ５，ＳＳ６〕
比較の結果、異なっていれば、入出力制御部２２が、その新たな設定データを建設機械１側に送信する。そして、データ更新部２４４が、設定データ管理テーブル２６３内の建設機械１の機械番号に対応する設定データを、新たな設定データに書き換えるとともに、送信日も更新する。
【００６９】
〔ステップＴＳ３，ＴＳ４〕
一方、建設機械１（車載移動通信端末３１）では、環境設定部１２１が、受信した設定データを用いて無線ＬＡＮ端末１７の動作環境設定を自動的に行う（受信した設定データを無線ＬＡＮ端末１７に設定する）。
【００７０】
〔ステップＴＳ５〕
動作環境設定が終了すると、環境設定部１２１は、設定が終了した旨のメッセージを上記表示画面に表示してオペレータに知らせる。
【００７１】
〔ステップＳＳ７〕
ところで、管理サーバ１０でのステップＳＳ４において、選定された設定データが既存の設定データと同じと判断された場合には、設定データ比較部２４３はその旨のメッセージを建設機械１（車載移動通信端末３１）に送信し、環境設定部１２１による設定動作をキャンセルする。なお、この場合であっても、設定データ管理テーブル２６３内の送信日の更新は行われてよい。
【００７２】
以上のように、建設機械１がいずれの建設現場Ａ１，Ａ２，Ａ３に配置された場合でも、いずれの建設現場Ａ１，Ａ２，Ａ３でも利用可能な衛星通信ネットワークを通じて、建設機械１の車載移動通信端末３１は、動作環境設定要求と現在位置情報を管理サーバ１０に送ることができる。管理サーバ１０は、その現在位置情報に基づいて、建設機械１が配置された建設現場Ａ１，Ａ２又はＡ３の無線ＬＡＮ用の設定データを選定し、選定された設定データを衛星通信ネットワークを通じて、車載移動通信端末３１に送信する。車載移動通信端末３１は、その設定データに基づき、無線ＬＡＮ端末１７の動作環境設定を自動的に行う。以後、車載移動通信端末３１は、配置された建設現場Ａ１，Ａ２又はＡ３の無線ＬＡＮを利用して通信を行うことができる。建設機械１がどの建設現場Ａ１，Ａ２，Ａ３に移動しても、無線ＬＡＮ用の動作環境を手動で設定する必要がない。
【００７３】
また、各作業員２が携帯する携帯移動通信端末３２においても、上記と同様の動作で無線ＬＡＮ用の動作環境が簡単に設定され得る。
【００７４】
管理サーバ１０の通信圏情報生成部２５のメッセージ送信機能により、建設機械１や作業員２が無線ＬＡＮの通信圏から外れそうな場合や、既に外れている場合などに、適切な対応を取ることが容易である。
【００７５】
建設現場Ａ１，Ａ２，Ａ３では、大きなサイズのデータを頻繁に通信する場合には無線ＬＡＮを利用することで、通信コストを大幅に削減できる。建設機械１の機械状態データのようにサイズがあまり大きくなく通信の頻度も低いデータの通信も、無線ＬＡＮを利用してもよい。
【００７６】
図６は、建設機械１の車載移動通信端末３１で行われる無線ＬＡＮ用動作環境設定のための動作の変形例の流れを示す。この変形例では、別の建設現場へ移動したことを移動通信端末３１が自動的に検知して、動作環境設定要求を管理サーバ１０へ送るようになっており、オペレータの手を一切わずらわせない。建設機械１の車載移動通信端末３１だけでなく、作業員２の携帯移動通信端末３２でも、同様の動作を行うことができる。
【００７７】
図６に示すように、ステップＴＳ１１で、建設機械１の機械状態のデータを管理サーバ１０へ送信する要求が、車載移動通信端末３１の通信コントローラ１２内で発生する。この送信要求は、既に述べたように、定期的（例えば２４時間置き）に発生してもよいし、或いは、建設機械１内で故障が発生したというように所定のイベントの発生によって派生してもよい。いずれにせよ、機械状態データ送信要求が発生すると、ステップＴＳ１２で、通信コントローラ１２は、記憶している機械状態データを、無線ＬＡＮ端末１７から無線ＬＡＮを通じて管理サーバ１０宛てに送信する。
【００７８】
その後、ステップＴＳ１３で、通信コントローラ１２は、無線ＬＡＮ端末１７からのデータ送信から所定時間内に管理サーバ１０からの応答が無線ＬＡＮ端末１７に受信されたがどうかをチェックする。その結果、応答が受信されれば、それは、無線ＬＡＮを用いた管理サーバ１０との通信が成功したことを意味するから、制御は終了する。
【００７９】
他方、ステップＴＳ１３のチェックの結果、応答が受信されない場合、それは、無線ＬＡＮを用いた管理サーバ１０との通信が失敗したことを意味する。建設機械１が別の建設現場へ移ったとき、このような場合が発生する。この場合、ステップＴＳ１４で、通信コントローラ１２は、記憶している機械状態データを、衛星通信端末１４から衛星通信ネットワークを通じて管理サーバ１０宛てに送信する。
【００８０】
その後、ステップＴＳ１５で、通信コントローラ１２は、衛星通信端末１４からのデータ送信から所定時間内に管理サーバ１０からの応答が衛星通信端末１４に受信されたがどうかをチェックする。その結果、応答が受信されれば、それは、衛星通信ネットワークを用いた管理サーバ１０との通信が成功したことを意味する。この場合、ステップＴＳ１７で、通信コントローラ１２は、動作環境設定要求を衛星通信端末１４から衛星通信ネットワークを通じて管理サーバ１０宛てに送信する。
【００８１】
その後、図６では図示省略されているが、図５に示したステップＴＳ２、ＳＳ２〜ＳＳ５と同様の動作が行われ、その結果、図６のステップＴＳ１８で、管理サーバ１０からの設定データが衛星通信端末１４に受信される。ステップＴＳ１９で、通信コントローラ１２は、受信された設定データを用いて、無線ＬＡＮ端末１７に動作環境を自動的に設定する。
【００８２】
このようにして無線ＬＡＮ端末１７に動作環境が設定された後は、建設機械１が同じ建設現場に居る限り、以後の機械状態データ送信要求の発生時には、無線ＬＡＮを用いて機械状態データを送ることができる。
【００８３】
なお、上述したステップＴＳ１５で、衛星通信を通じても管理サーバ１０からの応答が得られなかった場合には、これは、管理サーバ１０又はいすれかの通信ネットワークにトラブルが生じている可能性があることを意味する。この場合、通信コントローラ１２は、前記表示画面にエラーメッセージを表示して、制御を終了する。
【００８４】
図７は、図６に示した変形例の更なる変形例を示す。図７中、図６に示したと同じステップには、同じ参照符号を付して、重複した説明を省略する。
【００８５】
図６の動作では、機械状態データ送信要求が発生した場合、まず無線ＬＡＮによる通信が行われ、それに失敗したときに衛星通信を利用した環境設定が行われる。これに対し、図７の動作では、無線ＬＡＮの動作環境設定が完了しているか否かを示す情報（ＬＡＮフラグ）が管理されていて、機械状態データ送信要求が発生した場合、その情報に従って無線ＬＡＮ又は衛星通信が選択されるようになっている。
【００８６】
図７に示すように、ステップＴＳ１１で機械状態データ送信要求が発生すると、ステップＴＳ２１で、通信コントローラ１２は、通信コントローラ１２内で記憶されているＬＡＮフラグをチェックする。その結果、ＬＡＮフラグがＯＮ（動作環境設定完了）を示していた場合には、ステップＴＳ１２へ進んで、無線ＬＡＮを通じて機械状態データを送信する。以後は、図６に示した流れと同様に制御が行われる。ただし、この流れの中で、ステップＴＳ１３で無線ＬＡＮによる通信が失敗した場合には、ステップＴＳ２２で、通信コントローラ１２はＬＡＮフラグをＯＦＦ（（動作環境設定未完了）にセットする。そして、ステップＴＳ１９で無線ＬＡＮの動作環境が設定されると、ステップＴＳ２３で、通信コントローラ１２は、ＬＡＮフラグをＯＮ（動作環境設定完了）に設定する。
【００８７】
図６又は図７に示した動作では、機械状態データ送信要求が発生したときに、無線ＬＡＮ端末１７に動作環境が正しく設定されているか否かが自動的にチェックされ、設定されてなければ、自動的に設定が行われる。しかし、さらに別の変形例として、機械状態データ送信要求の発生とは別のタイミングで、無線ＬＡＮによる通信を試みることで、無線ＬＡＮ端末１７に動作環境が正しく設定されているか否かが自動的にチェックされるようになっていてもよい。或いは、機械状態データ送信要求の発生時に、機械状態データを送信する前にハンドシェイクのような予備的な通信を試みることで、無線ＬＡＮ端末１７に動作環境が正しく設定されているか否かが自動的にチェックされるようになっていてもよい。
【００８８】
以上、本発明の実施形態とその変形例を説明したが、本発明の範囲は前述の実施形態に限定されるものではなく、その要旨を逸脱しない範囲での様々な変形や改良等は本発明に含まれる。
【００８９】
例えば、前記実施形態では、一つの無線ＬＡＮグループに一台のアクセス装置８３が設けられていたが、同じＬＡＮ−ＩＤおよび暗号解読キーによるアクセス装置８３が複数台設置されていてもよく、こうすること同じ無線ＬＡＮグループの通信圏を拡大できる。
【００９０】
また、異なるＬＡＮ−ＩＤおよび暗号キーをもつ複数のアクセス装置８３が通信圏をオバーラップ又は一致させて設置されていてもよい。同一の建設現場を複数の建設会社等が受け持つ場合、会社毎にＬＡＮ−および暗号キーを異ならせることで、異なる会社の無線ＬＡＮが同じ建設現場で独立して利用できる。
【００９１】
上記実施形態では、管理サーバ１０が或る移動通信端末３１又は３２に設定データを送る場合、移動通信端末３１又は３２が所属する無線ＬＡＮの設定データを選定して送信する。しかし、変形例として、複数の異なる無線ＬＡＮの設定データが纏めて移動通信端末３１又は３２に送信され、それら異なる無線ＬＡＮの設定データが移動通信端末３１又は３２に記憶され、そして、移動通信端末３１又は３２が、記憶した異なる設定データの中から、現在所属する特定の無線ＬＡＮの設定データを選定して、無線ＬＡＮ端末１７に設定するようにしてもよい。
【００９２】
本発明は、無線ＬＡＮ端末の動作環境設定だけでなく、有線、無線を問わず他の種類のネットワーク用の通信端末の動作環境設定の目的にも適用できる。動作環境設定のために利用する通信ネットワークとして、衛星通信ネットワーク以外の種類のネットワーク（例えば、携帯電話通信ネットワークなど）を用いてもよい。
【００９３】
本発明は、建設機械や建設作業員に限らす、特定のエリア内で移動するバス、教習車両、鉄道車両、船舶、航空機などの無線通信にも利用できる。
【図面の簡単な説明】
【００９４】
【図１】本発明に従う動作環境設定システムが組み込まれた建設現場の管理のための移動体通信システムの全体構成を示すネットワーク図。
【図２】建設機械１に搭載された動作環境設定システムに関わる部分の構成を示すブロック図。
【図３】管理サーバ１０の機能的構成を示すブロック図。
【図４】移動体管理データベース２６のうち無線ＬＡＮ用の動作環境設定に関わる部分の構造を示す図。
【図５】動作環境設定システムの動作を示すフローチャート。
【図６】建設機械１の車載移動通信端末３１で行われる動作環境設定のための動作の変形例を示フローチャート。
【図７】図６に示した変形例の更なる変形例を示すフローチャート。
【符号の説明】
【００９５】
１…建設機械、２…作業員、携帯端末（移動体）、１０…管理サーバ、１３…ＧＰＳセンサ、１４…衛星通信端末、１７…無線ＬＡＮ端末、２５…通信圏情報生成部、３１…車載移動通信端末、３２…携帯移動通信端末、３８…アクセス装置、１２１…環境設定部、２
４２…設定データ選定部。
【図１】
2005160046.tif 000003
【図２】
2005160046.tif 000004
【図３】
2005160046.tif 000005
【図４】
2005160046.tif 000006
【図５】
2005160046.tif 000007
【図６】
2005160046.tif 000008
【図７】
2005160046.tif 000009